(57)【要約】【課題】フィルタエレメント等を交換する際に流体排出作業からキャップ分離作業までの一連の作業を簡素化することができる流体フィルタを提供する。【解決手段】本流体フィルタは、ケース２と、ケースに対して相対回転により着脱自在に取り付けられるキャップ３と、ケース及びキャップの内部に収容されるフィルタエレメント４と、キャップに形成されたドレン穴５を開閉するバルブ部材６と、を備え、ドレン穴に挿入されるドレン工具３５でバルブ部材を押圧してドレン穴を開放し、ドレン工具に設けられたドレン通路３６を介して内部流体を排出する流体フィルタであって、キャップには、ドレン穴に挿入されたドレン工具をキャップの回転軸Ｃを中心に回転させるときにドレン工具に設けられた係合部３７が係合する被係合部３１が設けられ、係合部及び被係合部の係合によりケースに対してキャップが相対回転される。【選択図】図３
2014015896.tif 000002
【特許請求の範囲】
【請求項１】
ケースと、該ケースに対して相対回転により着脱自在に取り付けられるキャップと、該ケース及び該キャップの内部に収容されるフィルタエレメントと、前記キャップに形成されたドレン穴を開閉するバルブ部材と、を備え、前記ドレン穴に挿入されるドレン工具で前記バルブ部材を押圧して前記ドレン穴を開放し、該ドレン工具に設けられたドレン通路を介して内部流体を排出する流体フィルタであって、
前記キャップには、前記ドレン穴に挿入された前記ドレン工具を前記キャップの回転軸を中心に回転させるときに該ドレン工具に設けられた係合部が係合する被係合部が設けられ、該係合部及び該被係合部の係合により前記ケースに対して前記キャップが相対回転されることを特徴とする流体フィルタ。
【請求項２】
前記被係合部は、前記キャップの内側に設けられている請求項１記載の流体フィルタ。
【請求項３】
前記キャップには、前記ドレン工具に設けられた複数の前記係合部のそれぞれと係合する複数の前記被係合部が設けられている請求項１又は２に記載の流体フィルタ。
【請求項４】
複数の前記被係合部は、前記キャップの回転軸を中心とする円周方向に略等間隔で配置されている請求項３記載の流体フィルタ。
【請求項５】
請求項１乃至４のいずれか一項に記載の流体フィルタに用いられるドレン工具であって、
前記流体フィルタの内部流体を排出するためのドレン通路と、前記バルブ部材を押圧する押圧部と、前記被係合部に係合する係合部と、を備えることを特徴とするドレン工具。
【発明の詳細な説明】
【技術分野】
【０００１】
本発明は、流体フィルタ及びこれに用いられるドレン工具に関し、更に詳しくは、フィルタエレメント等を交換する際に流体排出作業からキャップ分離作業までの一連の作業を簡素化することができる流体フィルタ及びこれに用いられるドレン工具に関する。
【背景技術】
【０００２】
従来の流体フィルタとして、エレメント交換型のオイルフィルタが一般に知られている（例えば、特許文献１参照）。この特許文献１には、ケースと、このケースに対して相対回転により着脱自在に取り付けられるキャップと、これらケース及びキャップの内部に収容されるフィルタエレメントと、キャップに形成されたドレン穴を開閉するバルブ部材と、を備えるオイルフィルタが開示されている。
【０００３】
上記オイルフィルタにおいて、フィルタエレメント等を交換する際には、先ず、ドレン穴に挿入されるドレン工具でバルブ部材を押圧してドレン穴を開放し、ドレン工具に設けられたドレン通路を介して内部オイル（残留オイル）を排出する。次に、ドレン穴からドレン工具を取り出してから専用のキャップ脱着工具を用いてケースからキャップを分離する。次いで、フィルタエレメントやシール部材等の交換作業が行われる。その後、キャップ脱着工具を用いてケースにキャップを取り付ける。このように、キャップの分離作業に先立ってドレン工具のドレン通路を介して内部オイルを排出することで、排出オイルの周囲への飛散が抑制される。なお、特許文献２には、キャップ脱着工具としてトルクレンチを用いてケースに対してキャップを着脱する技術が開示されている（特許文献２の図５参照）。
【先行技術文献】
【特許文献】
【０００４】
【特許文献１】特開２００５−１０３５０２号公報
【特許文献２】特開平１１−１０４４０８号公報
【発明の概要】
【発明が解決しようとする課題】
【０００５】
しかし、上記特許文献１のオイルフィルタでは、オイル排出作業で使用したドレン工具をドレン穴から取り出してから専用のキャップ脱着工具を用いてケースからキャップを分離しているので、オイル排出作業とキャップ分離作業とで作業者は工具を持ち替える必要があり、煩雑な作業となる。
【０００６】
本発明は、上記現状に鑑みてなされたものであり、フィルタエレメント等を交換する際に流体排出作業からキャップ分離作業までの一連の作業を簡素化することができる流体フィルタを提供することを目的とする。また、本発明は、上記流体フィルタでのフィルタエレメント等の交換の際に好適に使用されるドレン工具を提供することを他の目的とする。
【課題を解決するための手段】
【０００７】
上記問題を解決するために、請求項１に記載の発明は、ケースと、該ケースに対して相対回転により着脱自在に取り付けられるキャップと、該ケース及び該キャップの内部に収容されるフィルタエレメントと、前記キャップに形成されたドレン穴を開閉するバルブ部材と、を備え、前記ドレン穴に挿入されるドレン工具で前記バルブ部材を押圧して前記ドレン穴を開放し、該ドレン工具に設けられたドレン通路を介して内部流体を排出する流体フィルタであって、前記キャップには、前記ドレン穴に挿入された前記ドレン工具を前記キャップの回転軸を中心に回転させるときに該ドレン工具に設けられた係合部が係合する被係合部が設けられ、該係合部及び該被係合部の係合により前記ケースに対して前記キャップが相対回転されることを要旨とする。
請求項２に記載の発明は、請求項１記載において、前記被係合部は、前記キャップの内側に設けられていることを要旨とする。
請求項３に記載の発明は、請求項１又は２記載において、前記キャップには、前記ドレン工具に設けられた複数の前記係合部のそれぞれと係合する複数の前記被係合部が設けられていることを要旨とする。
請求項４に記載の発明は、請求項３記載において、複数の前記被係合部は、前記キャップの回転軸を中心とする円周方向に略等間隔で配置されていることを要旨とする。
上記問題を解決するために、請求項５に記載の発明は、請求項１乃至４のいずれか一項に記載の流体フィルタに用いられるドレン工具であって、前記流体フィルタの内部流体を排出するためのドレン通路と、前記バルブ部材を押圧する押圧部と、前記被係合部に係合する係合部と、を備えることを要旨とする。
【発明の効果】
【０００８】
本発明の流体フィルタによると、ドレン穴に挿入されるドレン工具でバルブ部材を押圧してドレン穴を開放し、ドレン工具に設けられたドレン通路を介して内部流体を排出するので、キャップ分離作業に先立って内部流体を周囲への飛散を抑制して排出することができる。また、キャップには、ドレン穴に挿入されたドレン工具をキャップの回転軸を中心に回転させるときにドレン工具に設けられた係合部が係合する被係合部が設けられ、係合部及び被係合部の係合によりケースに対してキャップが相対回転されるので、ドレン工具による流体排出作業が完了してから、ドレン穴に挿入されたままのドレン工具を回転させることでケースからキャップが分離される。これにより、フィルタエレメント等を交換する際に流体排出作業からキャップ分離作業までの一連の作業を簡素化することができる。
また、前記被係合部が、前記キャップの内側に設けられている場合は、流体フィルタの通常使用時に飛石等による被係合部の損傷を防止することができる。
また、前記キャップに、前記ドレン工具に設けられた複数の前記係合部のそれぞれと係合する複数の前記被係合部が設けられている場合は、係合部及び被係合部の係合力が分散され、ケースに対してキャップを容易に相対回転させることができる。
さらに、複数の前記被係合部が、前記キャップの回転軸を中心とする円周方向に略等間隔で配置されている場合は、係合部及び被係合部の係合力が円周方向に均等に分散され、ケースに対してキャップを更に容易に相対回転させることができる。
本発明のドレン工具によると、流体フィルタの内部流体を排出するためのドレン通路と、バルブ部材を押圧する押圧部と、被係合部に係合する係合部と、を備えるので、上述の流体フィルタでのフィルタエレメント等の交換の際に好適に使用される。
【図面の簡単な説明】
【０００９】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例に係るオイルフィルタを示す縦断面図である。
【図２】図１の要部拡大図である。
【図３】上記オイルフィルタのオイル排出状態を示す要部拡大断面図である。
【図４】図３のＩＶ矢視図である。
【図５】実施例に係るドレン工具及びキャップの要部を示す斜視図である。
【図６】上記オイルフィルタの作用説明図であり、（ａ）はドレン工具の係合部がキャップの案内溝に挿通した状態を示し、（ｂ）はドレン工具の係合部が被係合部に係合した状態を示す。
【発明を実施するための形態】
【００１０】
ここで示される事項は例示的なものおよび本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１１】
１．流体フィルタ
本実施形態１．に係る流体フィルタは、ケース（２）と、ケースに対して相対回転により着脱自在に取り付けられるキャップ（３）と、ケース及びキャップの内部に収容されるフィルタエレメント（４）と、キャップに形成されたドレン穴（５）を開閉するバルブ部材（６）と、を備え、ドレン穴に挿入されるドレン工具（３５）でバルブ部材を押圧してドレン穴を開放し、ドレン工具に設けられたドレン通路（３６）を介して内部流体を排出する流体フィルタであって、キャップには、ドレン穴に挿入されたドレン工具をキャップの回転軸（Ｃ）を中心に回転させるときにドレン工具に設けられた係合部（３７）が係合する被係合部（３１）が設けられ、係合部及び被係合部の係合によりケースに対してキャップが相対回転されることを特徴とする（例えば、図１〜図３等参照）。
【００１２】
本実施形態１．に係る流体フィルタとしては、例えば、上記被係合部（３１）は、キャップ（３）の内側に設けられている形態（例えば、図４及び図５等参照）を挙げることができる。上記「内側」とは、キャップのフィルタエレメントを収容する内側を意図する。
【００１３】
本実施形態１．に係る流体フィルタとしては、例えば、上記キャップ（３）には、ドレン工具（３５）に設けられた複数の係合部（３７）のそれぞれと係合する複数の被係合部（３１）が設けられている形態（例えば、図４及び図５等参照）を挙げることができる。この場合、例えば、上記複数の被係合部（３１）は、キャップ（３）の回転軸（Ｃ）を中心とする円周方向に略等間隔で配置されていることができる。
【００１４】
本実施形態１．に係る流体フィルタとしては、例えば、上記被係合部（３１）は、キャップ（３）のドレン穴（５）の周囲側からケース（２）側に突出して形成され、被係合部には、ドレン工具（３５）の外周側に突出して形成された係合部（３７）が円周方向から係合する形態（例えば、図４及び図５等参照）を挙げることができる。これにより、係合部及び被係合部を簡易な構造とすることができる。
【００１５】
上述の形態の場合、例えば、上記キャップ（３）のドレン穴（５）の周囲側には、ドレン工具（３５）をドレン穴に挿入するときに係合部（３７）が挿通してドレン工具を挿入方向に案内する案内溝（３２）が形成されている形態（例えば、図４及び図５等参照）を挙げることができる。これにより、キャップを分離するための係合部を利用して、ドレン穴に対するドレン工具の挿入性を高めることができる。
【００１６】
上述の形態の場合、例えば、上記キャップ（３）のドレン穴（５）の周囲側には、ドレン穴に挿入されたドレン工具（３５）をキャップの回転軸（Ｃ）を中心として回転させるときに係合部（３７）が係止してドレン工具の挿入方向への移動を規制する規制面（３３）が形成されていることができる（例えば、図５等参照）。これにより、キャップを分離するための係合部を利用して、ドレン工具によるドレン穴の開放状態を保持することができる。
【００１７】
２．ドレン工具
本実施形態２．に係るドレン工具は、上記実施形態１．に係る流体フィルタ（１）に用いられるドレン工具（３５）であって、流体フィルタの内部流体を排出するためのドレン通路（３６）と、バルブ部材（６）を押圧する押圧部（３８）と、被係合部（３１）に係合する係合部（３７）と、を備えることを特徴とする（例えば、図３及び図５等参照）。
【実施例】
【００１８】
以下、図面を参照して実施例により本発明を具体的に説明する。尚、本実施例では、エレメント交換型の流体フィルタとして、内燃機関のシリンダブロック（図示せず。）に取り付けられるオイルフィルタを例示する。
【００１９】
（１）オイルフィルタの構成
本実施例に係るオイルフィルタ１は、図１に示すように、ケース２と、このケース２に対して相対回転により着脱自在に取り付けられるキャップ３と、これらケース２及びキャップ３の内部に収容されるフィルタエレメント４と、キャップ３に形成されたドレン穴５を開閉するバルブ部材６と、を備えている。このオイルフィルタ１は、ドレン穴５を閉鎖するようにキャップ３に着脱自在に取り付けられるドレン部材７を更に備えている。
【００２０】
上記ケース２は、金属製又は樹脂製で有底筒状に形成されている。このケース２の内周面には雌ネジ１０が形成されている。また、上記キャップ３は、金属製又は樹脂製で有底筒状に形成されている。このキャップ３の外周面には、雄ネジ１１が形成されるとともにＯリング１２が装着されている。これらケース２及びキャップ３は、雄ネジ１１及び雌ネジ１０の螺合により組み付けられてＯリング１２で内部が液密状態に保持される。また、キャップ３の底部３ａの中央側には、ケース２の底部２ａに向かって突出する筒部１３が形成されている。この筒部１３の中心穴がドレン穴５とされている。さらに、筒部１３の内周側には、図２に示すように、雌ネジ１４が形成されるとともに、ドレン穴５を囲むようにＯリング１５が装着されている。
【００２１】
なお、本実施例では、ネジ構造で組み付けられるケース２及びキャップ３を例示したが、これに限定されず、例えば、互いに係脱可能な溝部と凸部とを備えるバヨネット構造で組み付けられるケース及びキャップとしてもよい。
【００２２】
上記フィルタエレメント４は、図１に示すように、不織布製でプリーツ筒状に形成されている。このフィルタエレメント４は、外周側に多数のオイル通過孔１７が形成された金属製の支持筒１８の外周面に支持されている。そして、フィルタエレメント４の軸方向の端部は、バネ１９の付勢力によりプレート２０及びケース２の底部２ａの間で各シール材２１ａ、２１ｂを介して挟持されている。このプレート２０は、キャップ３の内側に位置決め固定されている。また、プレート２０には、フィルタエレメント４の目詰り等による圧力上昇を防止するためのリリーフバルブ２２が設けられている。
【００２３】
上記バルブ部材６は、図２に示すように、金属製又は樹脂製で有底筒状に形成されている。このバルブ部材６の開口端側にはつば状の当接部２４が形成されている。この当接部２４は、キャップ３の筒部１３の外周側に形成された段差部２５に当接してドレン穴５を閉鎖する。そして、バルブ部材６は、キャップ３の内側にて、プレート２０との間に介装されるバネ１９の付勢力により当接部２４が段差部２５に当接する方向（すなわち、ドレン穴５を閉鎖する方向）に付勢されている。
【００２４】
上記ドレン部材７は、図２に示すように、金属製又は樹脂製で円柱状に形成されている。このドレン部材７は、ドレン穴５に挿入されるプラグ部２７と、このプラグ部２７の軸方向の一端側に連なるフランジ部２８と、を有している。このプラグ部２７の外周側には、キャップ３の雌ネジ１４に螺合する雄ネジ２９が形成されている。これら両ネジ１４、２９の螺合によりキャップ３にドレン部材７が取り付けられる。この取り付け状態では、フランジ部２８がＯリング１５に圧接するとともにプラグ部２７がドレン穴５を塞ぐことでドレン穴５が閉鎖される。
【００２５】
上記キャップ３の筒部１３には、図３〜図５に示すように、後述のドレン工具の係合部が係合する複数（図中２つ）の被係合部３１が設けられている。これら各被係合部３１は、キャップ３の回転軸Ｃを中心とする円周方向に略等間隔（例えば、１８０度間隔）で配置されている。また、各被係合部３１は、キャップ３の筒部１３からケース２の底部２ａに向かって突出する突起状に形成されている。
【００２６】
上記キャップ３の筒部１３の内周側には、図４及び図５に示すように、後述のドレン工具の係合部が挿通する複数（図中２つ）の案内溝３２が設けられている。これら各案内溝３２は、キャップ３の回転軸Ｃを中心とする円周方向に略等間隔（例えば、１８０度間隔）で配置されている。また、キャップ３の筒部１３の軸方向の先端側には、後述のドレン工具の係合部が係止する規制面３３が形成されている。この規制面３３は、キャップ３の回転軸Ｃと略直交する平面である。
【００２７】
（２）ドレン工具の構成
本実施例に係るドレン工具３５は、図３〜図５に示すように、金属製又は樹脂製で筒状に形成されている。このドレン工具３５には、オイルフィルタ１の内部オイルを排出するためのドレン通路３６が軸方向に貫通して形成されている。また、ドレン工具３５の軸方向の一端側には、複数（図中２つ）の係合部３７が形成されている。これら各係合部３７は、ドレン工具３５の軸を中心とする円周方向に略等間隔（例えば、１８０度間隔）で配置されている。また、各係合部３７は、キャップ３の案内溝３２に挿通され且つ規制面３３に規制され更に被係合部３１に係合し得るように、ドレン工具３５の外周側に突出する突起状に形成されている。また、各係合部３７の先端側には、バルブ部材６を押圧する押圧部３８が軸方向に突出して形成されている。さらに、ドレン工具３５の外周側には、トルクレンチ等のキャップ脱着用工具（図示省略）が係合可能な係合部３９が形成されている。
【００２８】
（３）オイルフィルタの作用
次に、上記構成のオイルフィルタ１の作用について説明する。このオイルフィルタ１の通常使用時には、図１及び図２に示すように、バネ１９で付勢されたバルブ部材６とともに、キャップ３にＯリング１５を介して螺合されるドレン部材７によりドレン穴５が閉鎖されている。よって、オイルフィルタ１の通常使用時には、ダスト等のドレン穴５を介してキャップ３の内側に侵入することが防止される。
【００２９】
そして、フィルタエレメント４やＯリング１２等を交換する際には、先ず、キャップ３からドレン部材７を取り外す。このとき、バネ１９の付勢力によりバルブ部材６の当接部２４がキャップ３の段差部２５に当接して閉鎖されているので、ドレン穴５から内部オイル（残留オイル）が外部へ流出してしまうことはない。
【００３０】
次に、ドレン工具３５の係止部３７を案内溝３２に挿通してドレン工具３５をドレン穴５に挿入する（図６（ａ）参照）。その係合部３７が案内溝３２から脱すると、押圧部３８がバネ１９の付勢力に抗してバルブ部材６を押圧してドレン穴５が開放される。このとき、ドレン工具３５の外周側がキャップ３のＯリング１５に圧接するとともに、内部オイルがドレン工具３５のドレン通路３６を介して外部に排出され始める（図３中に破線矢印で示す。）。次いで、ドレン工具３５をキャップ３の回転軸Ｃを中心として約４５度回転させる（図６（ｂ）参照）。すると、係止部３７の底面がキャップ３の規制面３３に乗り上げてドレン工具３５の挿入方向の移動が規制される。これにより、ドレン穴５の開放状態が保持される。
【００３１】
次いで、内部オイルの排出が完了してから、係合部３９にキャップ脱着用工具を係合してドレン工具３５をキャップ３の回転軸Ｃを中心として更に回転させる。すると、係合部３７及び被係合部３１の係合によりケース２に対してキャップ３が相対回転されて両者２、３が分離される。その後、フィルタエレメント４やＯリング１２等の交換作業が行われる。次に、ケース２に対してキャップ３を反対方向に相対回転させて両者２、３を組み付ける。次いで、ドレン工具３５の係止部３７を案内溝３２に位置合わせし挿通してドレン工具３５をドレン穴５から取り出すことで、一連の交換作業が完了する。なお、上記ケース２及びキャップ３の組み付けにおいても、ドレン穴５に挿入されたドレン工具３５を回転させることで係合部３７及び被係合部３１が係合してケース２に対してキャップ３が相対回転される。
【００３２】
（４）実施例の効果
以上より、本実施例のオイルフィルタ１によると、ドレン穴５に挿入されるドレン工具３５でバルブ部材６を押圧してドレン穴５を開放し、ドレン工具３５に設けられたドレン通路３６を介して内部オイルを排出するので、キャップ分離作業に先立って内部オイルを周囲への飛散を抑制して排出することができる。また、キャップ３には、ドレン穴５に挿入されたドレン工具３５をキャップ３の回転軸Ｃを中心に回転させるときにドレン工具３５に設けられた係合部３７が係合する被係合部３１が設けられ、係合部３７及び被係合部３１の係合によりケース２に対してキャップ３が相対回転されるので、ドレン工具３５によるオイル排出作業が完了してから、ドレン穴５に挿入されたままのドレン工具３５を回転させることでケース２からキャップ３が分離される。これにより、フィルタエレメント４等を交換する際に流体排出作業からキャップ分離作業までの一連の作業を簡素化することができる。
【００３３】
また、本実施例では、被係合部３１は、キャップ３の内側に設けられているので、オイルフィルタ１の通常使用時に飛石等による被係合部３１の損傷を防止することができる。
【００３４】
また、本実施例では、キャップ３には、ドレン工具３５に設けられた複数の係合部３７のそれぞれと係合する複数の被係合部３１が設けられているので、係合部３７及び被係合部３１の係合力が分散され、ケース２に対してキャップ３を容易に相対回転させることができる。
【００３５】
また、本実施例では、複数の被係合部３１が、キャップ３の回転軸Ｃを中心とする円周方向に略等間隔で配置されているので、係合部３７及び被係合部３１の係合力が円周方向に均等に分散され、ケース２に対してキャップ３をさらに容易に相対回転させることができる。
【００３６】
また、本実施例では、被係合部３１は、キャップ３のドレン穴５の周囲側からケース２側に突出して形成され、被係合部３１には、ドレン工具３５の外周側に突出して形成された係合部３７が円周方向から係合するので、係合部３７及び被係合部３１を簡易な構造とすることができる。
【００３７】
また、本実施例では、キャップ３のドレン穴５の周囲側には、ドレン工具３５をドレン穴５に挿入するときに係合部２７が挿通してドレン工具３５を挿入方向に案内する案内溝３２が形成されているので、キャップ３を分離するための係合部３７を利用して、ドレン穴５に対するドレン工具３５の挿入性を高めることができる。
【００３８】
また、本実施例では、キャップ３のドレン穴５の周囲側には、ドレン穴５に挿入されたドレン工具３５をキャップ３の回転軸Ｃを中心として回転させるときに係合部３７が係止してドレン工具３５の挿入方向への移動を規制する規制面３３が形成されているので、キャップ３を分離するための係合部３７を利用して、ドレン工具３５によるドレン穴５の開放状態を保持することができる。
【００３９】
さらに、本実施例のドレン工具３５によると、オイルフィルタ１の内部オイルを排出するためのドレン通路３６と、バルブ部材６を押圧する押圧部３８と、被係合部３１に係合する係合部３７と、を備えるので、オイルフィルタ１でのフィルタエレメント４等の交換の際に好適に使用される。
【００４０】
尚、本発明においては、上記実施例に限られず、目的、用途に応じて本発明の範囲内で種々変更した実施例とすることができる。即ち、上記実施例では、キャップ３の内側に設けられる被係合部３１を例示したが、これに限定されず、例えば、キャップ３の外側に設けられる被係合部としてもよい。
【００４１】
また、上記実施例における係合部３７及び被係合部３１の個数、配置形態等は特に問わない。例えば、単数又は３以上の係合部３７及び被係合部３１を備えてもよい。また、円周方向に不等間隔で配置される係合部３７及び被係合部３１としてもよい。
【００４２】
また、上記実施例では、オイル排出の際に係合部３７が規制面３３に係止してドレン穴５の開放状態を保持するようにしたが、これに限定されず、例えば、作業者がドレン工具３５を把持して押し上げることでドレン穴５の開放状態を保持するようにしてもよい。
【００４３】
また、上記実施例では、トルクレンチを用いてドレン工具３５を回転させるようにしたが、これに限定されず、例えば、作業者がドレン工具３５を直接的に把持して回転させるようにしてもよい。
【００４４】
さらに、上記実施例では、係合部３７が被係合部３１に当接した状態（図６（ｂ）参照）でオイル排出作業を完了させるようにしたが、これに限定されず、例えば、係合部３７が被係合部３１から離間した状態でオイル排出作業を完了させるようにしてもよい。
【００４５】
前述の例は単に説明を目的とするものでしかなく、本発明を限定するものと解釈されるものではない。本発明を典型的な実施形態の例を挙げて説明したが、本発明の記述および図示において使用された文言は、限定的な文言ではなく説明的および例示的なものであると理解される。ここで詳述したように、その形態において本発明の範囲または精神から逸脱することなく、添付の特許請求の範囲内で変更が可能である。ここでは、本発明の詳述に特定の構造、材料および実施例を参照したが、本発明をここにおける開示事項に限定することを意図するものではなく、むしろ、本発明は添付の特許請求の範囲内における、機能的に同等の構造、方法、使用の全てに及ぶものとする。
【００４６】
本発明は上記で詳述した実施形態に限定されず、本発明の請求項に示した範囲で様々な変形または変更が可能である。
【産業上の利用可能性】
【００４７】
流体をろ過する流体フィルタとして広く利用される。特に、内燃機関の潤滑オイルをろ過するエレメント交換型のオイルフィルタとして好適に利用される。
【符号の説明】
【００４８】
１；オイルフィルタ、２；ケース、３；キャップ、４；フィルタエレメント、５；ドレン穴、６；バルブ部材、３１；被係止部、３５；ドレン工具、３６；ドレン通路、３７；係合部、３８；押圧部、Ｃ；キャップの回転軸。
【図１】
2014015896.tif 000003
【図２】
2014015896.tif 000004
【図３】
2014015896.tif 000005
【図４】
2014015896.tif 000006
【図５】
2014015896.tif 000007
【図６】
2014015896.tif 000008